(57)【特許請求の範囲】
【請求項１】
複数本の横線材と縦線材とによって矩形状に形成された一対の側部フレームに、複数のスペーサーを連結し、側部フレームの外側に網状の側型枠を備えてなる法枠成形用の埋め込み型枠であって、網状の側型枠を側部フレームの長辺方向で複数個に分割すると共に、この分割型枠を側部フレームに対して縦軸線まわりで外側に向けて開放可能に枢着し、かつ、閉じ姿勢の分割型枠を側部フレームに固定するための固定手段を備えてなることを特徴とする法枠成形用の埋め込み型枠。
【請求項２】
複数本の横線材と縦線材とによって矩形状に形成された一対の側部フレームに、複数のスペーサーを連結し、側部フレームの外側に網状の側型枠を備えてなる法枠成形用の埋め込み型枠であって、網状の側型枠を側部フレームの長辺方向で複数個に分割し、その内の一部の分割型枠を側部フレームに固着する一方、残りの分割型枠を側部フレームに対して縦軸線まわりで外側に向けて開放可能に枢着し、かつ、閉じ姿勢の分割型枠を側部フレームに固定するための固定手段を備えてなることを特徴とする法枠成形用の埋め込み型枠。
【請求項３】
側部フレームと複数のスペーサーを枢支連結して、側部フレームを自立姿勢と互いに重ね合わせの折り畳み姿勢とに切り換え可能に構成したことを特徴とする請求項１または２に記載された法枠成形用の埋め込み型枠。
【請求項４】
固定手段を構成するに、分割型枠を側部フレームに対して上下方向にスライド可能に枢着する一方、側部フレームの横線材に上方から係止可能なフック部材を分割型枠に備えてなる請求項１〜３のいずれかに記載された法枠成形用の埋め込み型枠。
【発明の詳細な説明】
【０００１】
【発明の属する技術分野】
本発明は、法枠成形用の埋め込み型枠の改良技術に関するものである。
【０００２】
【従来の技術】
山腹の法面や、その他、道路や造成地などの法面の補強工法として、法面上に金網などの網状体を敷設し、この網状体の上に法枠成形用の埋め込み型枠を配置して、この型枠を埋めるようにモルタルまたはコンクリート（以下、モルタルという。）を吹き付けて、法面上に格子状の法枠を施工する工法がある。
【０００３】
この法枠の工法後に、法枠間に植生基材を吹き付けて、植物種子を播種したり樹木苗を植え付けたりし、或いは、植物種子を配合した植生基材を法枠間に吹き付けたり、その他、樹木種子を潜在した現地表土を採取して、これを客土として法枠間に導入したりすることで、法面の緑化を図ることができる。
【０００４】
上記の法枠成形用の埋め込み型枠として、複数本の横線材と縦線材とによって矩形状に形成された一対の側部フレームに、複数のスペーサーを連結し、側部フレームの外側に網状の側型枠を備えてなるものがある。
【０００５】
法枠の施工現地では、埋め込み型枠を法面の所定位置に設置し、この埋め込み型枠内に上端主筋と下端主筋とを配筋すると共に、更に、この上端主筋と下端主筋とにスターラップ（肋筋）を巻き付けた上で、埋め込み型枠の内外部にモルタルを吹き付けることで、法面上に法枠を成形することができる。
【０００６】
しかし、上記の構成による埋め込み型枠では、一対の網状の側型枠がスペーサーに直結されていることから、網状の側型枠が側方からの作業の障害物となり、例えばスペーサーの下段に下端主筋を結束する作業やスターラップを巻き付け結束する作業などが非常に面倒で、施工性が悪い点で問題があった。
【０００７】
また、モルタルの吹き付け作業も上方からと上方の前後からとに制約されることから、スペーサーと上下の主筋との交差部の背面側へのモルタルの吹き付け不良が生じ易く、これが原因で空洞が形成されるようになり、更には、スペーサーや主筋を避けるようにしてのモルタルの吹き付けが困難であって、モルタルをスペーサーや主筋に吹き付けた際に、モルタルの一部がリバウンドして粒状化し、これが互いに結合することで、モルタルがポーラスな状態になり易く、法枠の強度が低下する懸念があった。
【０００８】
かゝる実情を鑑みて、本出願人は、一対の側部フレームに対して、これの外側に網状の側型枠を着脱自在に備えた埋め込み型枠、更には、上記の側部フレームの上縁部に網状の側型枠を枢着して、網状の側型枠を側部フレームの上方に持ち上げ可能に構成した埋め込み型枠を、特開２００１−３２２９１号によって提案したのである。
【０００９】
かゝる構成の埋め込み型枠によれば、網状の側型枠を側部フレームから取り外し、或いは、網状の側型枠を側部フレームの上方に持ち上げて、埋め込み型枠の側面部分を開放することで、上方からと上方の前後からとはもとより、側方からの作業をも選択できることから、スペーサーや上下の主筋の配筋や結束の作業性を向上させることができる。
【００１０】
一方、モルタルの吹き付けに際しても、上方からと上方の前後からとはもとより、側方からの吹き付け作業も可能になることから、スペーサーと主筋との交差部の背面側へのモルタルの吹き付け不良が解消されるようになり、更には、スペーサーや主筋を避けるようにしてのモルタルの吹き付けが可能になることから、モルタルのポーラスな施工を回避し易くなり、従って、モルタル構造物つまりは法枠の強度的な品質の向上が達成されるようになる。
【００１１】
【発明が解決しようとする課題】
ところが、網状の側型枠を着脱自在に備える埋め込み型枠では、網状の側型枠が形状的に大きいことから、モルタル吹き付けのノズルマン一人での作業では、側部フレームに対する網状の側型枠の取り付け作業に困難を伴い勝ちとなり、網状の側型枠を側部フレームの上方に持ち上げ可能とした埋め込み型枠では、切り換えを伴っての上方からと上方の前後からと側方からのモルタルの同時的な吹き付け作業を行う上で、網状の側型枠が障害になり易い難点があった。
【００１２】
本発明は、かゝる実情に鑑みて成されたものであって、その目的は、上記の不都合が一挙に解消される法枠成形用の埋め込み型枠を提供する点にある。
【００１３】
【課題を解決するための手段】
上記の目的を達成するために、本発明が講じた技術的手段は次の通りである。即ち、請求項１記載の発明では、法枠成形用の埋め込み型枠として、複数本の横線材と縦線材とによって矩形状に形成された一対の側部フレームに、複数のスペーサーを連結し、この側部フレームの外側に網状の側型枠を備えるに際して、網状の側型枠を側部フレームの長辺方向で複数個に分割すると共に、この分割型枠を側部フレームに対して縦軸線まわりで外側に向けて開放可能に枢着し、かつ、閉じ姿勢の分割型枠を側部フレームに固定するための固定手段を備えてなる点に特徴がある。
【００１４】
上記の特徴構成からなる法枠成形用の埋め込み型枠によれば、網状の側型枠を複数個に分割したことで、一人作業であっても、個々の分割型枠の取り扱いが容易となり、しかも、分割型枠を開放することで、配筋や結束の作業性が向上すると共に、網状の側型枠によって邪魔されることなく、上方からと上方の前後からと側方からの同時的なモルタルの吹き付け作業が可能になることから、モルタルの吹き付け不良やモルタルのポーラスな施工を回避できるのであって、法枠の強度的な品質の向上が確実に達成されるようになる。
【００１５】
この際、請求項２に記載の発明のように、複数個に分割した内の一部の分割型枠を側部フレームに固着しても、上記と殆ど同様の作業形態をとることができることは明白である。
【００１６】
上記の側部フレームに複数のスペーサーを枢支連結して、側部フレームを自立姿勢と互いに重ね合わせの折り畳み姿勢とに切り換え可能に構成すれば（請求項３）、折り畳み姿勢をとることで、埋め込み型枠をコンパクトに纏めることができるのであって、埋め込み型枠の保管や法枠の施工現地への搬入などを効率的に行うことができる。
【００１７】
閉じ姿勢の分割型枠を側部フレームに固定する上で、例えば番線を用いて、分割型枠を側部フレームに固定する手段をとることが可能であり、この他にも、各種の形態による固定手段を採用可能であるが、請求項４に記載の発明のように、分割型枠を側部フレームに対して上下方向にスライド可能に枢着する一方、側部フレームの横線材に上方から係止可能なフック部材を分割型枠に備えて、分割型枠の固定手段とすることができ、かゝる構成の固定手段によれば、分割型枠を持ち上げて閉じ姿勢にした後に、この分割型枠を下げ降ろすことで、分割型枠を側部フレームに固定することができる。
【００１８】
【発明の実施の形態】
以下、本発明の実施の形態を図面に基づいて説明する。図１及び図２は請求項１記載の発明にかゝる法枠成形用の埋め込み型枠Ａの一例を示し、この法枠成形用の埋め込み型枠Ａは、矩形状に形成された一対の側部フレーム１，１を、複数のスペーサー２を介して枢支連結して、側部フレーム１，１を自立姿勢と互いに重ね合わせの折り畳み姿勢とに切り換え可能に構成し、この側部フレーム１，１の外側に網状の側型枠３を備えてなる。
【００１９】
側部フレーム１は、上下方向で複数本（図示の例では４本）の横線材４と、これらの横線材４に溶接等の手段で連結された複数本（図示の例では５本）の縦線材５とから成り、かつ、縦線材５は、ほゞ等間隔に配置されて、隣り合う２本の縦線材５，５と上下の横線材４，４とによって、方形の作業用開口部Ｂが形成されている。
【００２０】
上記のスペーサー２は、一対の側部フレーム１，１を相対峙させた状態で、これの相対峙する縦線材５，５にわたって枢支連結されており、具体的には、上下方向で複数本（図示の例では２本）の横線材６と、これらの横線材６に溶接等の手段で連結されたＸ形状を呈する筋交い線材７とから成り、かつ、筋交い線材７の両端部にリング状部分ａを曲げ形成して、このリング状部分ａを側部フレーム１の縦線材５に縦軸線Ｐまわりで回転自在に枢着し、一対の側部フレーム１，１を自立姿勢と折り畳み姿勢とに切り換え可能としているのであって、このスペーサー２を板材やプラスチック成形物にて同様の形状に作成してもよい。
【００２１】
尚、図３に示すように、スペーサー２の上下の横線材６，６を延長させて、その両端部にリング状部分ａを曲げ形成し、このリング状部分ａを側部フレーム１の縦線材５に縦軸線Ｐまわりで回転自在に枢着する形態とすれば、側部フレーム１，１の自立姿勢をより安定化させ得ることに加えて、横線材６の端部による突起物が存しなくなることから、安全性の面からも好適なものとなる。
【００２２】
上記の網状の側型枠３は、側部フレーム１の長辺方向で分割された複数個の分割型枠８を、側部フレーム１の外側に向けて開放可能に枢着してなり、具体的には、線材を格子状に構成または溶接した細かい網目の金網（その他、エキスパンドメタルやパンチングメタルなど）９を、側部フレーム１に形成した方形の作業用開口部Ｂを閉じ得る大きさの矩形枠１０に備えている。
【００２３】
そして、矩形枠１０に対して、これの側部フレーム１の上下内側の２本の横線材４，４の直上部に対応する箇所にヒンジ部材１１を設けるとともに、このヒンジ部材１１を側部フレーム１の縦線材５に回転自在に連結して、分割型枠８のそれぞれを、側部フレーム１に対して縦軸線Ｐまわりで外側に向けて開放可能に構成しているのである。
【００２４】
側部フレーム１に形成の方形の作業用開口部Ｂを分割型枠８で閉じた状態で、この閉じ姿勢の分割型枠８を側部フレーム１に固定するために、側部フレーム１と分割型枠８とにわたって固定手段１２を備えている。
【００２５】
この固定手段１２は、側部フレーム１の内側２本の横線材４を係止用の部材に利用して、この横線材４に上方から係止可能なフック部材１３を分割型枠８に備えてなる。
【００２６】
上記の構成によれば、複数個の分割型枠８を備えた一対の側部フレーム１，１を折り畳み姿勢にして、埋め込み型枠Ａをコンパクトな薄物にすることで、これの保管を効率的に行うことができるのであり、また、埋め込み型枠Ａの法枠施工現地への搬入も容易に行うことができるのである。
【００２７】
次に、法枠の施工手順の一例について説明すると、図２及び図４に示すように、先ずは法面Ｎ上に、必要に応じて金網や合成樹脂製のネットなどの網状体１５を敷設し、この網状体１５の上に、予め下スターラップ１７ａを設置し、さらにその上に下端主筋１６を設置するのである。
【００２８】
次に、複数個の分割型枠８を備えた一対の側部フレーム１，１を自立姿勢に展開して、これを下スターラップ１７ａに被せるように設置し、必要に応じて埋め込み型枠Ａ，Ａどうしを番線等（図示せず。以下、同じ。））で結束し、かつ、下端主筋１６および下スターラップ１７ａを持ち上げて、これらを番線等によってスペーサー２の下部側の横線材６に結束するのである。
【００２９】
しかる後に上端主筋１８をスペーサー２の上部側の横線材６に載置して、両者１８，６を番線等で結束した後、上スターラップ１７ｂを載置し、上端主筋１８や下スターラップ１７ａに番線等で結束し、配筋作業を完了するのである。
【００３０】
上記の配筋作業に際して、分割型枠８のそれぞれを持ち上げて、横線材４に対するフック部材１６の係止を解除し、即ち、側部フレーム１に対する分割型枠８の固定を解除し、この分割型枠８を側部フレーム１の外側に向けて開いて、側部フレーム１に形成の方形の作業用開口部Ｂを開放状態にすることで、スペーサー２に対する上下の主筋１８，１６の結束作業や、この主筋１８，１６に対するスターラップ１７の結束作業などを容易に行うことができる。
【００３１】
次に、分割型枠８を開放させた状態で、スペーサー２と上下の主筋１８，１６とを埋め込むように、低スランプのモルタル１９を吹き付けるのであり、この際、スペーサー２と上下の主筋１８，１６との交差部の背面側にモルタル１９を埋め込むように、更には、スペーサー２や上下の主筋１８，１６を極力避けて、リバウンドを極力生じさせないように、モルタル１９の吹き付けノズル２０を操って、モルタル１９を一対の側部フレーム１，１間に向けて、それの上方からと上方の前後からと側方から吹き付けるのである。
【００３２】
そして、これを頃合いを見計らって最終的に、方形の作業用開口部Ｂを分割型枠８で閉じ、かつ、分割型枠８を持ち上げて後に、フック部材１３を側部フレーム１の横線材４に係止させて、側部フレーム１に対する分割型枠８の固定を図り、次いで、所定の被り厚を得るように、埋め込み型枠Ａの外側にもモルタル１９を吹き付けるのである。
【００３３】
上記の手順によって、モルタル１９による格子状の法枠２１が法面Ｎ上に施工されるのであり、法面Ｎの緑化を図る際には、上記のモルタル１９を吹き付ける前に、格子状の埋め込み型枠Ａで囲われた部位を植生域とするように、この部位の金網３上に養生シート２２を配置して、モルタル１９の所定の養生後に養生シート２２を取り外し、上記の植生域に例えば樹木種子潜在の現地表土２３を客土するのであって、これによって、やがては郷土種の樹木による樹林化を期し得る法面Ｎの緑化施工を完了するのである。
【００３４】
上記の実施の形態では、分割型枠８の全てを側部フレーム１に対して縦軸線Ｐまわりで外側に向けて開放可能に枢着しているが、例えば長手方向の両側と中央部の合計３個の分割型枠８を開放可能に枢着し、残りの分割型枠８を側部フレーム１に対して固着してもよいのであり、この際、図５に概略を示すように、一部の分割型枠（この実施の形態では、両側と中央部の合計３個）８ａを幅狭のものに構成して、これを側部フレーム１に固着する一方、残りの分割型枠８ｂを側部フレーム１に対して縦軸線Ｐまわりで外側に向けて開放可能に枢着するようにしてもよいのであり、これらいずれの構成による側型枠３であっても、図２に示した埋め込み型枠Ａと殆ど同様の作業形態で、法枠２１を施工することができるのである。
【００３５】
【発明の効果】
以上説明したように、本発明による法枠成形用の埋め込み型枠によれば、網状の側型枠を複数個に分割して、この分割型枠を側部フレームの外側に向けて開放可能に構成したことで、たとえノズルマン一人の作業であっても、個々の分割型枠の開閉の取り扱いが容易となり、しかも、分割型枠を開放することで、配筋や結束の作業性が向上すると共に、網状の側型枠によって邪魔されることなく、上方からと上方の前後からと側方からの同時的なモルタルの吹き付け作業が可能になることから、モルタルの吹き付け不良やモルタルのポーラスな施工を回避できるようになり、これによって法枠の強度的な品質の向上が確実に達成されるようになる。
【図面の簡単な説明】
【図１】分割型枠の一部を側部フレームの外側に向けて開放させた状態を示す埋め込み型枠の斜視図である。
【図２】図１に示した埋め込み型枠の正面図である。
【図３】スペーサーの変形例を示す正面図である。
【図４】法枠ならびに緑化の施工の説明図である。
【図５】別の実施の形態による埋め込み型枠の概略を示す側面図である。
【符号の説明】
１…側部フレーム、２…スペーサー、３…網状の側型枠、４…横線材、５…縦線材、６，７…線材、８，８ａ，８ｂ…分割型枠、１２…固定手段、１３…フック部材、Ｐ…縦軸線。
【図１】
0003934981.tif 000002
【図２】
0003934981.tif 000003
【図３】
0003934981.tif 000004
【図４】
0003934981.tif 000005
【図５】
0003934981.tif 000006